(57)【要約】【課題】サイコロ形状の組立式包装箱を提供する。【解決手段】８角形で連設中心線に線対称な上面外蓋片２、第１側面片７、底面片８、第２側面片９、上面内蓋片１０を一列に連設した５連設片４と第３側面片５と第４側面片６とで構成する。上面外蓋片を除く５連設片の一小辺に三角片２６ａを設け、その右辺２７ａに第１の切込み３２ａを持つ第１の折込み片２８ａを設ける。各連設片の上側長辺２１ａには斜めに伸び、組立て時に第１の切込みと係合する第２の切込み３４ａを持つ第２の折込み片３０ａを設ける。上側長辺に沿って第３の切込み３５ａを形成し、残る小辺に小三角形の第３の折込み片３６ａを設ける。上面内蓋片中央に開口３を形成し、第２側面片との境には上面外蓋片の端に設けた外蓋差込み舌片２３を差し込む第４の切込み２４を設ける。第３側面片と第４側面片の各側辺には第１の切込みに差し込む側片差込み舌片４３を設ける。【選択図】図２
2009234648.tif 000002
【特許請求の範囲】
【請求項１】
立方体の８個の角隅部を小三角形平面（２６）に置換したサイコロ形状の組立式包装箱であって、
上面外蓋片（２）、第１側面片（７）、底面片（８）、第２側面片（９）、上面内蓋片（１０）の５枚の紙片を折り目線を境界としてこの順に一列に連設した５連設片（４）と第３側面片（５）と第４側面片（６）とから構成され、
前記５連設片はその展開平面図における連設方向中心線に対して線対称形状であって、前記上面外蓋片は４隅に前記小三角形の辺長に等しい小辺（２０）が形成された８角形をなして前記第１側面片に対向する辺部に外蓋差込み舌片（２３）が突設してあり、
前記第１側面片、底面片、第２側面片、上面内蓋片の各連設片には、前記上面外蓋片と同一の８角形面が折り目線で囲んで形成してあり、
各連設片における前記上面外蓋片側に位置する前記小辺（２０ａ）には前記小三角形平面を構成する三角片（２６ａ）が延設され、その三角片における前記上面内蓋片側の辺（２７ａ）には各連設片の中心方向に向かう第１の切込み（３２ａ）を持つ第１の折込み片（２８ａ）が延設してあり、
各連設片における前記小辺に隣り合う上側長辺（２１ａ）には前記上面内蓋片側方向に斜めに延出して先端部には組立て時に前記第１の切込みと係合する第２の切込み（３４ａ）を持つ第２の折込み片（３０ａ）を延設し、前記上側長辺に沿う折り目線の中央には後述する側片差込み舌片（４３）を差し込む第３の切込み（３５ａ）が該折り目線に沿って形成してあり、
前記上側長辺に隣り合う残りの小辺には前記小三角形より小さい三角形状の第３の折込み片（３６ａ）が延設してあり、
前記上面内蓋片には中央部に内容物の出し入れ用開口（３）を形成し、前記第２側面片との境界の折り目線中央には前記外蓋差込み舌片を差し込む第４の切込み（２４）を該折り目線に沿って形成し、該第４の切込みに対向する右側長辺（４４）には第４の折込み片（３７）が形成してあり、
前記第３側面片と第４側面片は前記上面外蓋片と同一の８角形に形成して４個の側辺中央には前記第３の切込み（３５ａ）に差し込む側片差込み舌片（４３）が形成してあり、
組立てる際には、前記５連設片及び前記第４の折込み片を境界の折り目線にて直角に折り曲げ、前記上面内蓋片の上に上面外蓋片を重ねて前記外蓋差込み舌片を前記第４の切込みに差し込んで四角筒状に固定し、
前記三角片、第１の折込み片、第２の折込み片、第３の折込み片は前記四角筒の開口（４６）を塞ぐ方向に折り曲げて前記第３の折込み片（３６ａ）の上に隣接紙片の三角片（２６ｂ）を、隣接する第１の折込み片（２８ｂ）の上に前記第２の折込み片（３０ａ）を重ね、その状態で重なった第１の切込み（３２ｂ）と第２の切込み（３４ａ）を係合させて固定し、
その状態にて前記第３側面片、第４側面片の前記側片差込み舌片を対応する前記第３の切込み（３５ａ）に差し込んで前記四角筒の開口を塞ぎ、
最後に前記外蓋差込み舌片（２３）を前記第４の切込み（２４）に差し込んでサイコロ形状としたことを特徴とする組立式包装箱。
【請求項２】
請求項１に記載の組立式包装箱において、前記第４の切込み（２４）に代えて前記第２側面片（９）と上面内蓋片（１０）との境界の折り目線（１１ｄ）の中央に上面内蓋片を切り欠く形で第２側面片から上面内蓋片側に向けて前記外蓋差込み舌片（２３）より幅狭の矩形差込み舌片（７４）を突設し、該矩形差込み舌片の基端部両端からは第２側面片内側に向けて該矩形差込み舌片の延設長さに略等しい長さの第５の切込み（７５）を形成し、更に該矩形差込み舌片を外方に開いた状態にして前記外蓋差込み舌片を差し込むことのできる第６の切込み（２４ｄ）を矩形差込み舌片の基端部両端から折り目線（１１ｄ）に沿って形成し、
前記外蓋差込み舌片の基端部の折り目線上には前記矩形差込み舌片を差し込む第７の切込み（７１）を形成し、該第７の切込みの長さより短い長さを直径とする半円状の切欠き（７２）をその中心を該第７の切込みの中央に位置して上面内蓋片側に形成したことを特徴とする組立式包装箱。
【発明の詳細な説明】
【技術分野】
【０００１】
本発明は、内部に菓子等を収納して販売に用いる組立式包装箱に関し、特には立方体の８個の角隅部を小三角形平面に置き換えて角をなくしたサイコロ形状の組立式包装箱に関する。
【背景技術】
【０００２】
子供向けの菓子類を収納して販売に用いる包装箱には様々な形態がある。一般的なものとして断面四角形の角筒内に上面開口の内箱をスライド式に挿入したものがある。これを少し変形したものとして内箱全体をスライドさせるのではなく、内箱の一側面部分を斜めにスライド旋回して開口させ、内部の菓子等を取り出すようにしたものがある（特許文献１参照）。また、内箱を使用せずに直方体形状の紙製包装箱の側面上部に開閉自在な取り出し口を形成したものもある（特許文献２参照）。更には、弁当箱としても使用できる少し大きな箱として、同じ大きさの方形状をした一対の包体板を折り曲げて組み立てる組立式包装箱などもある（特許文献３参照）。
【０００３】
しかしながら、これらの包装箱は何れも外形が単純な直方体形状で代り映えがしない。そのため子供向けの菓子等を収納して販売する包装箱としては子供の購買心を引く魅力に欠ける。子供の購買心を刺激するため動物形状、マスコット形状等にした包装箱もあるが、魅力的である反面、製作費が高くなる問題がある。
【特許文献１】特開２００６−２４８５９３号公報
【特許文献２】実開平０７−３５３２５号公報
【特許文献３】特開２００４−１２３１３３号公報
【発明の開示】
【発明が解決しようとする課題】
【０００４】
本発明は、従来技術のこうした問題点を解決するためになされたもので、その課題は子供の購買意欲を喚起する魅力的なの外観形状をなし、且つ製作コストが安く、短時間で組み立てられ、輸送運賃や保管スペースが少なくて済むサイコロ形状の組立式包装箱を提供することにある。
【課題を解決するための手段】
【０００５】
前記課題を解決するための手段を後述する実施形態の参照符号を付して記述する。請求項１に記載の発明は、立方体の８個の角隅部を小三角形平面２６に置換したサイコロ形状の組立式包装箱であって、上面外蓋片２、第１側面片７、底面片８、第２側面片９、上面内蓋片１０の５枚の紙片を折り目線を境界としてこの順に一列に連設した５連設片４と第３側面片５と第４側面片６とから構成され、５連設片４はその展開平面図における連設方向中心線に対して線対称形状であって、上面外蓋片２は４隅に小三角形の辺長に等しい小辺２０が形成された８角形をなして第１側面片２に対向する辺部２１に外蓋差込み舌片２３が突設してあり、第１側面片７、底面片８、第２側面片９、上面内蓋片１０の各連設片には、前記上面外蓋片２と同一の８角形面が折り目線で囲んで形成してあり、各連設片における上面外蓋片２側に位置する小辺２０ａには小三角形平面を構成する三角片２６ａが延設され、その三角片２６ａにおける上面内蓋片２側の辺２７ａには各連設片の中心方向に向かう第１の切込み３２ａを持つ第１の折込み片２８ａが延設してあり、各連設片における小辺２０ａに隣り合う上側長辺２１ａには上面内蓋片２側方向に斜めに延出して先端部には組立て時に第１の切込み３２ａと係合する第２の切込み３４ａを持つ第２の折込み片３０ａを延設し、上側長辺２１ａに沿う折り目線の中央には後述する側片差込み舌片４３を差し込む第３の切込み３５ａが該折り目線に沿って形成してあり、上側長辺２１ａに隣り合う残りの小辺には前記小三角形より小さい三角形状の第３の折込み片３６ａが延設してあり、上面内蓋片１０には中央部に内容物の出し入れ用開口３を形成し、第２側面片９との境界の折り目線中央には外蓋差込み舌片２３を差し込む第４の切込み２４を該折り目線に沿って形成し、第４の切込み２４に対向する右側長辺４４には第４の折込み片３７が形成してあり、第３側面片５と第４側面片６は上面外蓋片２と同一の８角形に形成して４個の側辺中央には第３の切込み３５ａに差し込む側片差込み舌片４３が形成してあり、組立てる際には、５連設片４及び第４の折込み片３７を境界の折り目線にて直角に折り曲げ、上面内蓋片１０の上に上面外蓋片２を重ねて外蓋差込み舌片２３を第４の切込み２４に差し込んで四角筒状に固定し、三角片２６ａ、第１の折込み片２８ａ、第２の折込み片３０ａ、第３の折込み片３６ａは四角筒６０の開口４６を塞ぐ方向に折り曲げて第３の折込み片３６ａの上に隣接紙片の三角片２６ｂを、隣接する第１の折込み片２８ｂの上に第２の折込み片３０ａを重ね、その状態で重なった第１の切込み３２ｂと第２の切込み３４ａを係合させて固定し、その状態にて第３側面片５、第４側面片６の側片差込み舌片４３を対応する第３の切込み３５ａに差し込んで四角筒６０の開口を塞ぎ、最後に外蓋差込み舌片２３を第４の切込み２４に差し込んでサイコロ形状としたことを特徴とする組立式包装箱である。
【０００６】
このような構成の組立式包装箱１は、５連設片４、第３側面片５、第４側面片６の３枚の紙片のみを用いて接着剤を使用することなく短時間で組み立てでき、製作コストも安くなる利点を有する。組立て前までは板状であるため輸送運賃や保管スペースも少なくて済む。立方体の８個の角隅部を小三角形平面に置き換えてあるため、落としたり転がしたりしても角部が壊れることはない。外観がサイコロ形状をしていて単純な立方体より魅力があり、転がして遊ぶこともできることから子供向け菓子などを入れて販売する包装箱として好適である。また、陳列に際しては多数個を高密度に積み上げることもできる。
【０００７】
また、請求項２に記載の発明は、請求項１に記載の組立式包装箱において、第４の切込み２４に代えて第２側面片９と上面内蓋片１０との境界の折り目線１１ｄの中央に上面内蓋片１０を切り欠く形で第２側面片９から上面内蓋片１０側に向けて外蓋差込み舌片２３より幅狭の矩形差込み舌片７４を突設し、該矩形差込み舌片７４の基端部両端からは第２側面片９内側に向けて該矩形差込み舌片７４の延設長さに略等しい長さの第５の切込み７５を形成し、更に該矩形差込み舌片７５を外方に開いた状態にして外蓋差込み舌片２３を差し込むことのできる第６の切込み２４ｄを矩形差込み舌片７５の基端部両端から折り目線１１ｄに沿って形成し、外蓋差込み舌片２３の基端部の折り目線上には矩形差込み舌片７４を差し込む第７の切込み７１を形成し、該第７の切込み７１の長さより短い長さを直径とする半円状の切欠き７２をその中心を第７の切込み７１の中央に位置して上面内蓋片２側に形成したことを特徴とする組立式包装箱である。
【０００８】
このような構成によれば、外蓋差込み舌片２３は第２側面片９側の矩形差込み舌片７４によって押さえられて抜けが防止される。従って、上面外蓋片２は簡単には開かず、内容物の出し入れ用開口３は塞いだ状態に確実に維持される。
【発明を実施するための最良の形態】
【０００９】
以下、本発明に係る組立式包装箱の一実施形態を図面を参照して説明する。図１は本発明に係る組立式包装箱１の外観斜視図、図２は上面の蓋（上面外蓋片２）を開いて内容物出し入れ用の開口３を見えるようにした状態の斜視図、図３と図４は、その構成紙片の展開平面図、図５はその組立て方を説明する分解斜視図である。組立式包装箱１は、図１示すように立方体の８個の角隅部を小三角形平面（三角片２６）に置き換えたサイコロ形状をなしている。
【００１０】
組立式包装箱１は適宜厚さの厚紙を打ち抜いて形成した図３に示す５連設片４と、図４に示す第３側面片５、第４側面片６の３枚の紙片から構成されており、それらを図５に示すように折り曲げて組み立てられる。５連設片４は、上面外蓋片２、第１側面片７、底面片８、第２側面片９、上面内蓋片１０の５枚の紙片を各境界に設けた折り目線１１ａ〜１１ｄを挟んでこの順に一列に連設したものである。上面外蓋片２は、図２に示すようにその下側に位置する上面内蓋片１０に設けた開口３を塞ぐ紙片である。底面片８は組立式包装箱１の底面をなす紙片であり、第１側面片７、第２側面片９は側面をなす紙片である。第１側面片７、底面片８、第２側面片９、上面内蓋片１０の４紙片は、折り曲げられて図５中に示すような四角筒６０を形成する。
【００１１】
５連設片４を構成する各紙片は、図３に示す展開平面図における連設方向中心線に対して線対称形状をなしている。一方の端に位置する上面外蓋片２は、正四角形の４隅を三角形状に切り落とした８角形をなしている。切り落としてできた小辺２０の長さは、立方体の８個の角隅部に設ける小三角形平面（三角片２６）の辺の長さに等しくしてある。８角形状における小辺２０以外の残り４つの長辺２１のうち、第１側面片７の反対側に位置する長辺２１には、折り目線１１ｅを介して外蓋差込み舌片２３が突設してある。この外蓋差込み舌片２３は、組み立ての際に第２側面片９と上面内蓋片１０の境界の折り目線１１ｄ上に形成された後述の第４の切込み２４に差し込まれる。
【００１２】
５連設片４における第１側面片７、底面片８、第２側面片９の３紙片は同一形状をなしており、各紙片の中央には上面外蓋片２と同一形状の８角形が折り目線に囲まれて形成されている。この３紙片は同一形状で連設方向中心線に対して線対称形状をなしているので、それらの周縁に延設された各延設紙片の形状については図３における第１側面片７の上側を例に説明する。
【００１３】
第１側面片７における上面外蓋片２側の小辺２０ａには、立方体の８個の角隅部に設ける小三角形平面を構成する正三角形の三角片２６ａが延設されている。その三角片２６ａの突出方向右辺（上面内蓋片１０側の辺）には折り目線２７ａを介して第１の折込み片２８ａが延設してある。第１の折込み片２８ａは、折り目線２７ａの全長から第１側面片７の上側長辺２１ａと４５°の角度をなす方向に短い帯状に延びている。上側長辺２１ａと４５°の角度をなしていることにより組み立てられた状態では、第１の折込み片２８ａの右辺（上面内蓋片１０側の辺）３３ａは、第１側面片７の上側長辺２１ａに沿う折り目線に一致した状態になる。第１の折込み片２８ａの先端近くには、左辺５０ａの縁部から右辺３３ａ方向に直角に延びる（第１側面片７の中心方向に向かう）第１の切込み３２ａが設けてある。
【００１４】
第１側面片７における上側長辺２１ａには、折り目線を介して第２の折込み片３０ａが延設してある。第２の折込み片３０ａは、上側長辺２１ａの全長から前記第１の折込み片２８ａと平行に帯状に延びている。従って、第２の折込み片３０ａも上側長辺２１ａと４５°の角度をなして延びている。第２の折込み片３０ａの右辺（上面内蓋片１０側の辺）３０ａの長さは、前記三角片２６ａの辺の長さに等しくしてある。第２の折込み片３０ａの延設方向端の先端辺４２ａは、右辺３０ａと１３５°の角度をなすように形成してある。このように形成してあることにより組み立てられた状態では、第２の折込み片３０ａの右辺３０ａは第１側面片７に隣接する底面片８の三角片２６ｂの小辺２７ｂに一致し、先端辺４２ａは底面片８の上側長辺２１ｂに一致した状態になる。
【００１５】
第２の折込み片３０ａの先端辺４２ａには、その中央部から上側長辺２１ａに平行な第２の切込み３４ａが設けてある。この第２の切込み３４ａは、組み立ての際には第２側面片９の第１の折込み片２８ｂに設けられた第１の切込み３２ｂと係合させる。第１の切込み３２ｂと第２の切込み３４ａは、組み立て時に互いに係合し合える位置に設けてある。更に、第１側面片７における上側長辺２１ａに沿う折り目線の中央には、該折り目線に沿って第３の切込み３５ａが形成してある。
【００１６】
第１側面片７における三角片２６ａの設けてない残りの小辺２０ａａには、折り目線を介して三角片２６ａより小さい三角形状の第３の折込み片３６ａが延設してある。
【００１７】
５連設片４の他方の端に位置する上面内蓋片１０も、第１側面片７とほぼ同一形状に形成されている。異なるのは、第２側面片９の反対側に位置する右側長辺４４に折り目線１１ｆを介して台形の第４の折込み片３７が形成してある点と、中央部に内容物出し入れ用の矩形の開口３が形成してある点である。矩形の開口３の対向する２辺からは、折り目線３８を介して台形の開口片４０が延設してある。
【００１８】
上面内蓋片１０と第２側面片９の境界の折り目線１１ｄに沿っては、その中央部に上面外蓋片２に設けられた外蓋差込み舌片２３を差し込みための第４の切込み２４が形成されている。そして、その第４の切込み２４に接する第２側面片９側には、該第４の切込み２４の長さより短い長さを直径とする半円状の切欠き４１が、その中心を第４の切込み２４の中央に位置して設けてある。この切欠き４１は、第４の切込み２４に差し込まれた外蓋差込み舌片２３の引き出しを容易にするためのものである。
【００１９】
第３側面片５と第４側面片６は、図４に示すように上面外蓋片２と同じ正四角形の４隅を三角形状に切り落とした８角形をなしている。そして、切り落とす前の正四角形の各辺の中央には、５連設片４における上面外蓋片２以外の紙片に設けた第３の切込み３５ａに差し込む側片差込み舌片４３が設けてある。
【００２０】
次に、５連設片４、第３側面片５、第４側面片６の３枚の紙片を用いた組立式包装箱１の組み立て方を図５を参照して説明する。最初に５連設片４を構成する５個の紙片を境界の折り目線１１ａ〜１１ｄで組立式包装箱１の内側となる方向に直角に折り曲げる。上面内蓋片１０の第４の折込み片３７も同方向に直角に折り曲げ、その基端部の折り目線１１ｆを上面外蓋片２と第１側面片７の境界の折り目線１１ａに合わせる。次に、上面外蓋片２を上面内蓋片１０の上に重ね合わせ、上面内蓋片１０の外蓋差込み舌片２３をその基端部の折り目線１１ｅで直角に折り曲げて上面内蓋片１０と第２側面片９の境界に設けられた第４の切込み２４に差し込む。これにより、５連設片４が四角筒状に固定される。
【００２１】
次の段階として、５連設片４における上面内蓋片１０以外の４紙片に設けられた多数の小紙片を折り重ね、四角筒６０の左右の開口４６の周縁部を構成する。４つのコーナー周縁部の折り重ね方は同じであるので第１側面片７と底面片８とが直角をなすコーナー周縁部について説明する。まず、第１側面片７の小さい三角形状の第３の折込み片３６ａの上に底面片８の三角片２６ｂが重なり、その三角片２６ｂに延設された第１の折込み片２８ｂの上に第１側面片７の第２の折込み片３０ａが重なるように折り重ねる。そして、底面片８の第１の折込み片２８ｂに設けられた第１の切込み３２ｂと、第１側面片７の第２の折込み片３０ａに設けられた第２の切込み３４ａとを互いに係合させる。その際、底面片８の第２の折込み片３０ｂの基端部は、その係合を上から押さえるように折り重ねる。このような折り重ねを左右８個所のコーナー周縁部で行なう。これにより、図５の中央部に示すような左右の開口４６に折り重ね周縁部が形成された四角筒６０ができあがる。この四角筒６０は、第１の切込み３２ｂと第２の切込み３４ａとの係合によって強固に固定されており、図に示すように上面外蓋片２を上方に開いても壊れることはない。
【００２２】
次に、第３側面片５、第４側面片６の各４個の側片差込み舌片４３を直角に折り曲げ、第１側面片７、底面片８、第２側面片９、上面内蓋片１０に設けられた第３の切込み３５ａ〜３５ｄに差し込んで四角筒６０の左右の開口４６を塞ぐ。以上のようにして図１、図２に示した立方体の８個の角隅部を小三角形平面（三角片２６）に置き換えたサイコロ形状の組立式包装箱１が完成する。
【００２３】
このような構成の組立式包装箱１は、５連設片４、第３側面片５、第４側面片６の３枚の紙片のみを用いて接着剤を使用することなく短時間で組み立てでき、製作コストが安くなる利点を有する。組立て前までは板状であるため輸送運賃や保管スペースも少なくて済む。立方体の８個の角隅部を小三角形平面に置き換えてあるため、落としたり転がしたりしても角部が壊れることはない。外観がサイコロ形状をしているため単純な立方体より魅力があり、転がして遊ぶこともできることから子供向け菓子などを入れて販売する包装箱として好適である。また、陳列に際しては多数個を高密度に積み上げることもできる。
【００２４】
（変形実施形態）
本実施形態は、内容物出し入れ用開口３を塞ぐ上面外蓋片２が簡単には開かないようにするものである。図６は、そのような構成を実現する５連設片４ａの展開平面図である。図３に示した５連設片４とは、外蓋差込み舌片２３の基端部の構成と、その外蓋差込み舌片２３を固定する部分の構成が異なる。
【００２５】
図６に示す５連設片４ａでは、外蓋差込み舌片２３の基端部の折り目線１１ｅの中央に第７の切込み７１が新たに設けてある。そして、その第７の切込み７１に接する上面外蓋片２側には、その第７の切込み７１の長さより短い長さを直径とする半円状の切欠き７２が中心を第７の切込み７１の中央に位置して設けてある。
【００２６】
また、第２側面片９と上面内蓋片１０との境界である折り目線１１ｄの中央には、第２側面片９から上面内蓋片１０側に向けて、上面内蓋片１０を切り欠く形で外蓋差込み舌片２３よりも幅狭の矩形差込み舌片７４が延設してある。そして、その矩形差込み舌片７４の基端部両端からは、第２側面片９内側に向かう第５の切込み７５が矩形差込み舌片７４の延設長さに略等しい長さで形成してある。更に、その矩形差込み舌片７４を外方に開いた状態にして外蓋差込み舌片２３を差し込むことのできる第６の切込み２４ｄが、矩形差込み舌片７４の基端部両端から折り目線１１ｄに沿って形成してある。
【００２７】
次に、上面外蓋片２の固定の仕方を図７、図８により説明する。外蓋差込み舌片２３は直角に折り曲げ、矩形差込み舌片７４は第５の切込み７５を利用して図７に示すように容器外方に折り曲げ、その状態で外蓋差込み舌片２３を第６の切込み２４ｄに差し込む。次いで矩形差込み舌片７４を外蓋差込み舌片２３の基端部に設けられた第７の切込み７１に差し込む。図８は、このようにして上面外蓋片２を固定した状態を示している。第７の切込み７１に接する上面外蓋片２側には半円状の切欠き７２が設けてあり、矩形差込み舌片７４の引き出しを容易にしている。
【００２８】
このような構成によれば、外蓋差込み舌片２３は第２側面片９側の矩形差込み舌片７４によって押さえられて抜けが防止される。従って、上面外蓋片２は簡単には開かず、内容物の出し入れ用開口３は塞いだ状態に確実に維持される。
【図面の簡単な説明】
【００２９】
【図１】本発明に係る組立式包装箱１の外観斜視図である。
【図２】上面外蓋片２を開いた状態の斜視図である。
【図３】５連設片４の展開平面図である。
【図４】第３側面片５と第４側面片６の展開平面図である。
【図５】組立式包装箱１の組立て方を説明する分解斜視図である。
【図６】５連設片４の変形実施形態の展開平面図である。
【図７】変形実施形態による場合の上面外蓋片２の固定の仕方の説明図である。
【図８】変形実施形態による場合の上面外蓋片２を閉じた状態の外観斜視図である。
【符号の説明】
【００３０】
図面中、１、１ａは組立式包装箱、２は上面外蓋片、３は開口、４、４ａは５連設片、５は第３側面片、６は第４側面片、７は第１側面片、８は底面片、９は第２側面片、１０は上面内蓋片、１１ａ〜１１ｅは折り目線、２０、２０ａは小辺、２１ａ、２１ｂは上側長辺、２３は外蓋差込み舌片、２４は第４の切込み、２４ｄは第６の切込み、２６は小三角形平面、２６ａ、２６ｂは三角片、２８ａ、２８ｂは第１の折込み片、３０ａ、３０ｂは第２の折込み片、３２ａ、３２ｂは第１の切込み、３４ａは第２の切込み、３５ａ〜３５ｄは第３の切込み、３６ａは第３の折込み片、４３は側片差込み舌片、２４は第４の切込み、４１は右側長辺、３７は第４の折込み片、４６は開口、７１は第７の切込み、７２は半円状切欠き、７４は矩形差込み舌片、７５は第５の切込みを示す。
【図１】
2009234648.tif 000003
【図２】
2009234648.tif 000004
【図３】
2009234648.tif 000005
【図４】
2009234648.tif 000006
【図５】
2009234648.tif 000007
【図６】
2009234648.tif 000008
【図７】
2009234648.tif 000009
【図８】
2009234648.tif 000010